(57)【特許請求の範囲】
【請求項１】
第１の記録部と、
第２の記録部と、
前記第１の記録部及び第２の記録部との間でコンテンツデータの移動又はコピーを制御する移動コピー制御手段と、
前記第１の記録部に記録されている各コンテンツの記録位置及び記録容量を含むコンテンツ管理情報を記憶する管理情報記憶手段と、
前記第２の記録部の記録媒体に記録可能な容量を検出し記憶する記録可能容量検出手段と、
前記第１の記録部から、前記第２の記録部へ１以上のコンテンツを指定して移動又はコピーする際に、該指定されたコンテンツの総容量と、前記記録可能容量検出手段により検出した前記記録媒体に記録可能な容量を比較する容量比較手段と、
（１ａ）前記容量比較手段により、前記指定された１以上のコンテンツの総容量が前記記録媒体に記録可能な容量より大きいことを通知された場合、前記１以上のコンテンツをコンテンツ単位で分離し、前記記録可能な容量以下で最大数のコンテンツを含む容量を判断し、該最大数のコンテンツを前記第２の記録部に移動又はコピーするよう前記移動コピー制御手段に指示を与える指定容量記録手段と、（１ｂ）前記指定容量記録手段の指示により前記記録媒体に移動又はコピーされるコンテンツの前記第１の記録部内記録位置を含む管理情報を、前記管理情報記憶手段から読出し記憶する第１の位置記憶手段と、（１ｃ）前記第２の記録部の記録媒体が交換された場合に、前記第１の位置記憶手段により記憶された前記管理情報情報を基に、前記移動又はコピーされたコンテンツの次に再生されるべきコンテンツから、前記記録媒体に対する記録を再開するよう前記移動コピー制御手段に指示を与える第１の記録再開制御手段とを含む第１制御手段と、
（２ａ）前記容量比較手段により、前記指定されたコンテンツの容量が前記記録媒体に記録可能な容量より大きいことを通知された場合、前記コンテンツを複数のビデオオブジェクトユニットに分割し、前記記録可能な容量以下で最大数のビデオオブジェクトユニットを含む容量を算出し、該最大数のビデオオブジェクトユニットを前記第２の記録部に移動又はコピーするよう前記移動コピー制御手段に指示を与える最大容量算出手段と、（２ｂ）前記最大容量算出手段の指示により前記記録媒体に移動又はコピーされる複数ユニットにおける最終ユニットの前記第１の記録部内記録位置を、前記管理情報記憶手段から読出し記憶する第２の位置記憶手段と、（２ｃ）前記第２の記録部の記録媒体が交換された場合に、前記位置記憶手段により記憶された前記位置の情報を基に、前記移動又はコピーされた複数ユニットの次に再生されるべきユニットから、前記記録媒体に対する記録を再開するよう前記移動コピー制御手段に指示を与える第２の記録再開制御手段とを含む第２制御手段と、
前記（１ａ）〜（１ｃ）を含む前記第１制御手段と、前記（２ａ）〜（２ｃ）を含む前記第２制御手段の何れを実行するか選択する動作選択手段と、
を具備することを特徴とする記録再生装置。
【発明の詳細な説明】
【０００１】
【発明の属する技術分野】
この発明は、複数の記録再生部を有し、映像及び音声等のコンテンツを第１の記録再生部の記録媒体から第２の記録再生部の記録媒体へ、移動／コピーする記録再生装置に関する。
【０００２】
【従来の技術】
近年では、ＭＰＥＧ圧縮方式により圧縮した映像及び音声等のコンテンツをＤＶＤ（Ｄｉｇｉｔａｌ  Ｖｅｒｓａｔｉｌｅ  Ｄｉｓｋ）−ＲＡＭ等の記録可能な光ディスクに記録する光ディスクドライブ、又はそのようなコンテンツをハードディスクに記録するＨＤＤ（ｈａｒｄ  ｄｉｓｋ  ｄｒｉｖｅ）等の記録再生部を複数具備する記録再生装置が普及し始めている。
【０００３】
このような記録再生装置では、一般にＨＤＤに記録したコンテンツを光ディスクドライブ内の光ディスクへ、又は光ディスクドライブ内の光ディスクに記録したコンテンツをＨＤＤに移動／（又は）コピーすることができる。
【０００４】
【発明が解決しようとする課題】
例えばＨＤＤと光ディスクドライブを具備する記録再生装置において、放送番組等の複数のコンテンツをＨＤＤに予約録画し、ＨＤＤに記録された複数のコンテンツをＤＶＤ−ＲＡＭ等の記録可能な光ディスクに記録する場合、ユーザはコンテンツを１つずつ指定して光ディスクに移動／コピーしなければならない。つまり、１つのコンテンツの移動／コピーが完了した後、次のコンテンツを指定してＤＶＤ−ＲＡＭへの移動／コピーを行うことになる。即ち、ＭＰＥＧ方式でデータを記録する複数の記録部を有する従来の記録再生装置では、ＨＤＤに記録された複数のコンテンツを１度に指定して移動／コピーすることはできない。
【０００５】
又、このような記録再生装置において、ＨＤＤに記録されたコンテンツを指定して、該コンテンツを光ディスクドライブに装填された未使用の記録可能光ディスクに移動／コピーするとき、指定されたコンテンツの容量が該光ディスクの容量より大きい場合、コンテンツを光ディスクに記録することができない。
【０００６】
このような場合、ユーザはコンテンツを分割して複数の光ディスクに記録する必要がある。つまりユーザは、光ディスクの記録可能容量を調べ、その容量に対応するＨＤＤ内のコンテンツの記録部分を指定して、該記録部分を第１の光ディスクに記録し、次にＨＤＤ内の残りのコンテンツ記録部分を指定して、第２の光ディスクに記録する必要がある。従ってこのような場合、記録再生装置の操作が煩雑となる。このような問題は、指定されたコンテンツの容量が、ある程度データを記録した光ディスクの空き容量より大きい場合にも同様に生じる。
【０００７】
特開２００１−３４４８７７号公報には、放送されている番組等のコンテンツをリアルタイムで光ディスクに記録する記録再生装置が開示されている。この公報では、コンテンツを記録中に、光ディスクの記録可能な残り容量が少なくなった場合、放送されている一連のデータのうち、ユーザにとって欠落してもかまわない例えばコマーシャル映像のようなデータが放送されている間に、ディスク交換を済ませるよう要求する情報記録装置が示されている。ディスク交換要求が出されるタイミングとしては、ステレオ／モノラル等の音声モードの変化点又は音声データの急激な変化点、もしくは映像データの急激な変化点が検出された場合である。
【０００８】
この公報の場合、欠落してもよいデータの提供が前提条件であり、もし欠落してもよいデータがない場合、重要なデータがの記録が出来ない可能性がある。また、ディスク交換中のデータを、ＨＤＤへ一時的に保管しておくことが可能だが、ＨＤＤの残り容量などにより、データの欠落が発生してしまう。
【０００９】
従って本発明は、第１及び第２の記録再生部を有する記録再生装置において、第２の記録再生部に装填された記録媒体の記録可能容量を越えて、第１の記録部から第２の記録部の記録媒体へコンテンツの移動／コピーが指定された場合、該コンテンツを連続して複数の記録媒体に容易に記録できる記録再生装置を提供することを目的とする。
【００１０】
【課題を解決するための手段】
上記目的を達成するために本発明の１実施形態に係る記録装置は、
第１の記録部と、
第２の記録部と、
前記第１の記録部及び第２の記録部との間でコンテンツデータの移動又はコピーを制御する移動コピー制御手段と、
前記第１の記録部に記録されている各コンテンツの記録位置及び記録容量を含むコンテンツ管理情報を記憶する管理情報記憶手段と、前記第２の記録部の記録媒体に記録可能な容量を検出し記憶する記録可能容量検出手段と、
前記第１の記録部から、前記第２の記録部へ１以上のコンテンツを指定して移動又はコピーする際に、該指定されたコンテンツの総容量と、前記記録可能容量検出手段により検出した前記記録媒体に記録可能な容量を比較する容量比較手段と、
（１ａ）前記容量比較手段により、前記指定された１以上のコンテンツの総容量が前記記録媒体に記録可能な容量より大きいことを通知された場合、前記１以上のコンテンツをコンテンツ単位で分離し、前記記録可能な容量以下で最大数のコンテンツを含む容量を判断し、該最大数のコンテンツを前記第２の記録部に移動又はコピーするよう前記移動コピー制御手段に指示を与える指定容量記録手段と、（１ｂ）前記指定容量記録手段の指示により前記記録媒体に移動又はコピーされるコンテンツの前記第１の記録部内記録位置を含む管理情報を、前記管理情報記憶手段から読出し記憶する第１の位置記憶手段と、（１ｃ）前記第２の記録部の記録媒体が交換された場合に、前記第１の位置記憶手段により記憶された前記管理情報情報を基に、前記移動又はコピーされたコンテンツの次に再生されるべきコンテンツから、前記記録媒体に対する記録を再開するよう前記移動コピー制御手段に指示を与える第１の記録再開制御手段とを含む第１制御手段と、
（２ａ）前記容量比較手段により、前記指定されたコンテンツの容量が前記記録媒体に記録可能な容量より大きいことを通知された場合、前記コンテンツを複数のビデオオブジェクトユニットに分割し、前記記録可能な容量以下で最大数のビデオオブジェクトユニットを含む容量を算出し、該最大数のビデオオブジェクトユニットを前記第２の記録部に移動又はコピーするよう前記移動コピー制御手段に指示を与える最大容量算出手段と、（２ｂ）前記最大容量算出手段の指示により前記記録媒体に移動又はコピーされる複数ユニットにおける最終ユニットの前記第１の記録部内記録位置を、前記管理情報記憶手段から読出し記憶する第２の位置記憶手段と、（２ｃ）前記第２の記録部の記録媒体が交換された場合に、前記位置記憶手段により記憶された前記位置の情報を基に、前記移動又はコピーされた複数ユニットの次に再生されるべきユニットから、前記記録媒体に対する記録を再開するよう前記移動コピー制御手段に指示を与える第２の記録再開制御手段とを含む第２制御手段と、
前記（１ａ）〜（１ｃ）で示される前記第１制御手段と、前記（２ａ）〜（２ｃ）で示される前記第２制御手段の何れを実行するか選択する動作選択手段とを具備する。
【００１１】
すなわち、第１の記録部から第２の記録部の記録媒体に対する、該記録媒体の記録可能容量を越えた複数のコンテンツの移動／コピーが指定された場合、複数のコンテンツはコンテンツ単位又はビデオオブジェクト単位で連続して複数の記録媒体に記録される。
【００１２】
【発明の実施の形態】
図面を参照しながら本発明の実施の形態について詳細に説明する。以下に示す説明はこの発明の実施の形態であって、この発明の装置及び方法を限定するものではない。
【００１３】
図１は本発明が適用される録画再生装置の構成を示すブロック図である。この録画再生装置は、ハーディスクドライブ（ＨＤＤ）２０と、ビデオファイルを構築できる情報記憶媒体である光ディスク１０を回転駆動し、この光ディスク１０に対して情報の読み書きを実行するディスクドライブ３５と、録画側を構成するエンコーダ部５０と、再生側を構成するデコーダ部６０と、装置本体の動作を制御するマイクロコンピュータブロック３０とを主たる構成要素としている。
【００１４】
エンコーダ部５０は、ＡＤＣ（アナログデジタルコンバータ）５２と、Ｖ（ビデオ）エンコーダと、Ａ（オーディオ）エンコーダと、ＳＰ（副映像）エンコーダを含むエンコーダ群５３と、各エンコーダの出力を所定のフォーマットにするフォーマッタ５６と、バッファメモリ５７とを備えている。
【００１５】
ＡＤＣ５２には、ＡＶ入力部４２からの外部アナログビデオ信号＋外部アナログオーディオ信号、あるいはＴＶ（テレビジョン）チューナ４４からのアナログＴＶ信号＋アナログ音声信号が入力される。
【００１６】
データプロセッサ３６は、マイクロコンピュータブロック３０の制御に従って、エンコーダ部５０から出力されたＤＶＤ記録データをディスクドライブ３５に供給したり、光ディスク１０から再生したＤＶＤ再生信号をディスクドライブ３５から取り込んだり、光ディスク１０に記録された管理情報を書き替えたり、光ディスク１０に記録されたデータの削除をしたりする。
【００１７】
マイクロコンピュータブロック３０は、ＭＰＵ（マイクロプロセシングユニット）３０ａと、制御プログラム等が書き込まれたＲＯＭ３０ｂと、プログラム実行に必要なワークエリアを提供するためのＲＡＭ３０ｃとを含んでいる。
【００１８】
ＭＰＵ３０ａはＲＯＭ３０ｂに格納された本発明を含む制御プログラムに従い、ＲＡＭ３０ｃをワークエリアとして用いて、編集、欠陥場所検出、未記録領域検出、録画情報記録位置設定、ＵＤＦ記録、ＡＶアドレス設定等を実行する。
【００１９】
デコーダ部６０は、パック構造を持つ映像情報から各パックを分離して取り出すセパレータ６２と、パック分離やその他の信号処理実行時に使用するメモリ６３と、セパレータ６２で分離された主映像データをデコードするＶデコーダ、セパレータ６２で分離された副映像データをデコードするＳＰデコーダ、セパレータ６２で分離されたオーディオデータをデコードするＡデコーダによって構成されるデコーダ群６４と、Ｖデコーダから得られる主映像データにＳＰデコーダから得られる副映像データを適宜合成し、主映像にメニュー、字幕その他の副映像を重ねて出力するビデオプロセッサ６６を備えている。
【００２０】
Ａデコーダの出力をデジタル出力する場合は、インターフェース（Ｉ／Ｆ）７５を介して外部へ出力され、アナログ出力する場合は、セレクタ７６を介してＤＡＣ７７でアナログ変換され外部に出力される。セレクタ７６は、マイクロコンピュータブロック３０からのセレクト信号により、ＴＶチューナ４４やＡ／Ｖ入力部４２からＡＤＣ５２を介して入力される信号とデコーダ群６４から入力される信号の一方を選択して出力する。アナログオーディオ信号は、図示しない外部コンポーネント（２チャンネル〜６チャンネルのマルチチャンネルステレオ装置）に供給される。
【００２１】
キー入力部１１は再生（ＰＬＡＹ）、停止（ＳＴＯＰ）、録画（ＲＥＣ）、スキップ（Ｓｋｉｐ）、早送り（ＦＦ）、逆送り（Ｒｅｗ）、スロー（Ｓｌｏｗ）エンターキー等のボタンを有し、このボタンを押下することによりユーザは本録画再生装置を操作し、ＨＤＤ２０又は録画可能光ディスク１０に対して録画、再生できる。又ユーザはＨＤＤに録画された映像データを光ディスク１０にコピー又は移動できる。
【００２２】
図２は、図１に示した録画再生装置に適用されるＤＶＤディスクの一例として、リアルタイムレコーディングＤＶＤ−ＶＲ規格のビデオ及びオーディオファイルのデイレクトリー構造について示している。
【００２３】
ＤＶＤでは、規格毎にディレクトリが存在し、これらのディレクトリー名を、ＤＶＤ−ＶＲでは、「ＤＶＤ＿ＲＴＡＶ」、ＤＶＤ−オーディオでは、「ＡＵＤＩＯ＿ＴＳ」、ＤＶＤ−ビデオでは、「ＶＩＤＥＯ＿ＴＳ」としている。図２は「ＤＶＤ＿ＲＴＡＶ」を示す。記録データは、各ディレクトリー内に存在する。又、ＤＶＤでは、通常のファイル形式でデータが保存される。タイトルは、例えば映画の１本分に相当し、１枚のディスクにこのタイトルが複数記録可能である。
【００２４】
ディレクトリー「ＤＶＤ＿ＲＴＡＶ」内には、ビデオマネジャー（ＶＭＧ）ファイルとしてのＶＲ＿ＭＡＮＧＲ．ＩＦＯ、ムービービデオファイルとしてのＶＲ＿ＭＯＶＩＥ．ＶＲＯ、スチルピクチャービデオファイルとしてのＶＲ＿ＳＴＩＬＬ．ＶＲＯ、スチルピクチャーオーディオファイルとしてのＶＲ＿ＡＵＤＩＯ．ＶＲＯ、ビデオマネジャーのバックアップとしてのＶＲ＿ＭＡＮＧＲ．ＢＵＰの各ファイルが存在する。
【００２５】
ＶＲ＿ＭＡＮＧＲ．ＩＦＯファイルには、ナビゲーションデータが記録されるもので、このナビゲーションデータは、プログラムセット、プログラム、エントリーポイント、プレイリストなどを進行させるためのデータである。
【００２６】
ＶＲ＿ＭＯＶＩＥ．ＶＲＯファイルは、ムービービデオオブジェクト（ムービーＶＯＢ）を記録するためのいわゆるムービーＡＶファイルである。
【００２７】
ＶＲ＿ＳＴＩＬＬ．ＶＲＯは、スチルピクチャーＶＯＢを記録するためのスチルピクチャＡＶファイルである。このＶＲ＿ＳＴＩＬＬ．ＶＲＯは、任意のサブピクチャーユニットを含むビデオパートで構成されるオリジナルＶＯＢを記録するために用いられる。又このとき、ビデオパートに関連したオーディオパートもオリジナルＶＯＢに含まる。
【００２８】
ＶＲ＿ＡＵＤＩＯ．ＶＲＯは、スチルピクチャーに対する付加オーディオストリームを記録するためのスチルピクチャー付加オーディオファイルである。この付加オーディオパートは、アフターレコーディングにより記録されたオーディオストリームを示す。ＶＲ＿ＡＵＤＩＯ．ＶＲＯに記録されたオーディオパートは、ＶＲ＿ＳＴＩＬＬ．ＶＲＯに記録された幾つかのビデオパートとの組み合せで使用される。
【００２９】
図３は、上記のムービービデオファイルとしてのＶＲ＿ＭＯＶＩＥ．ＶＲＯ及びスチルピクチャービデオファイルとしてのＶＲ＿ＳＴＩＬＬ．ＶＲＯのファイル構造を示している。
【００３０】
ビデオファイルは階層構造であり、複数のＶＯＢ（ビデオオブジェクト）で構成され、１つのＶＯＢは複数のＶＯＢＵ（ビデオオブジェクトユニット）で構成され、１つのＶＯＢＵは複数パックから構成される。複数のパックとしては、Ｖパック、Ａパック等が存在する。
【００３１】
Ｖパックは、ビデオデータがＭＰＥＧ２の方式で圧縮されたものである。Ａパックは、オーディオデータが、例えばリニアＰＣＭあるいはＭＰＥＧ、あるいはＡＣ３などの方式で処理されたものでありる。  パック内には、適宜、再生時刻を示すＰＴＳ（プレゼンテーションタイムスタンプ）や、デコード時刻を示すＤＴＳ（デコーディングタイムスタンプ）等のタイムスタンプが記述される。再生はこのようなタイムスタンプで示される時刻に基づいて行われる。
【００３２】
１つのビデオオブジェクト（ＶＯＢ）は例えば１映画番組に対応する。１つのビデオオブジェクトユニット（ＶＯＢＵ）の再生時間は、通常、ビデオオブジェクトユニット中に含まれる１以上の映像グループ（ＧＯＰ：グループオブピクチャ）で構成されるビデオデータの再生時間となる。通常、１ＧＯＰはＭＰＥＧ２規格では約０．５秒であって、その間に１５枚程度のフレーム画像を再生するように圧縮された映像データが格納される。
【００３３】
以上のように、ビデオオブジェクト（ＶＯＢ）は複数のビデオオブジェクトユニット（ＶＯＢＵ）から構成されており、ビデオオブジェクトユニットはビデオオブジェクト最小構成単位である。本実施例では、ビデオオブジェクトをコンテンツとして説明する。
【００３４】
図４は本発明による記録再生装置の機能を説明するための機能ブロック図の１例である。
【００３５】
本システムはｎ個の記録再生部を有し、第１の記録再生部２０から、第２の記録再生部３５へ複数のコンテンツを記録する記録再生システムである。第１の記録再生部２０は例えばＨＤＤ２０であり、第２の記録再生部３５は例えばＤＶＤディスクドライブ３５である。
【００３６】
移動コピー制御手段１０１は、第１の記録再生部２０と第２の記録再生部３５との間でコンテンツデータの移動／コピーを制御する。管理情報記憶手段１０２は、第１の記録再生部２０に記録されている各コンテンツの、記録時刻と日付、デーサイズ、記録位置等の管理情報を記憶する。
【００３７】
記録可能容量検出記憶手段１０３は、第２の記録再生部３５の記録媒体に記録可能な容量を検出し記憶する。コンテンツ容量比較手段１０４は、第１の記録再生部２０から、第２の記録再生部３５へ複数のコンテンツを移動／コピーする際に、移動／コピーする複数コンテンツの総容量と、記録可能容量検出記憶手段１０３により検出した第２の記録再生部３５の記録媒体に記録可能な容量を比較する。
【００３８】
指定容量記録手段１０５は、コンテンツ容量比較手段１０４により移動／コピーする複数コンテンツの総容量が、第２の記録再生部３５の記録媒体に記録可能な容量より大きい場合に、第２の記録再生部３５の記録容量の最大値以下で、１単位コンテンツの途中でコンテンツを分離することなく記録する。つまり指定容量記録手段１０５は、ユーザにより指定された複数コンテンツをコンテンツ単位で分離し、記録媒体の記録可能な容量以下で最大数のコンテンツの容量を判断し、その最大数のコンテンツを第２の記録再生部３５に移動／コピーするよう移動コピー制御手段１０１に指示を与える。
【００３９】
中断位置記憶手段１０６は、前記指定容量記録手段１０５により第１の記録再生部２０の移動／コピーを中断したコンテンツの管理情報と中断位置を記憶する。コンテンツ記録中断制御手段１０７は、第２の記録再生部３５の記録媒体を交換した場合に、前記中断位置記憶手段１０６により記憶された第１の記録再生部２０の中断位置から第２の記録再生部３５へコンテンツの移動／コピーを開始する。
【００４０】
尚、１０１〜１０７のような機能ブロックは、例えば図１のマイクロコンピュータブロック３０のＲＯＭ３０ｂ内に制御プログラムとして構築できる。ＭＰＵ３０ｃが該制御プログラムを実行することにより、本発明によるコンテンツの移動／コピーが行われる。
【００４１】
以下、本実施形態の動作を具体的に説明する。この実施形態では、第１の記録再生部２０から、１時間分の容量をそれぞれ持つ６個のコンテンツを第２の記録装置へ移動もしくはコピーする場合において、第２の記録装置内の２．５時間分の記憶容量を持つ記録媒体へ移動もしくはコピーを行う場合を例として説明する。
【００４２】
先ず、コンテンツ容量比較手段１０４は、管理情報記憶手段１０２が記憶するコンテンツ１の記憶容量１時間と、記憶可能容量検出記憶手段１０３が記憶する第２の記録装置内記録媒体１の記憶可能容量２．５時間とを比較し、比較結果を指定容量記録手段１０５に通知する。この場合、コンテンツ容量比較手段１０４はコンテンツ１の記憶容量が記録媒体１の記憶可能容量を下回っていることを、指定容量記録手段１０５へ通知する。
【００４３】
指定容量記録手段１０５は、移動コピー制御手段１０１へコンテンツの移動／コピーの指示を出す。移動コピー制御手段１０１は、第１の記録再生部２０から、第２の記録再生部３５内の記録媒体１へコンテンツ１の移動／コピーを実行する。
【００４４】
次にコンテンツ容量比較手段１０４は、同様にコンテンツ２の記録容量１時間と、記録媒体１の残りの記録可能容量１．５時間（既にコンテンツ１が記録されているため）とを比較し、コンテンツの容量が、記録媒体１の記憶可能容量を下回っていることを、指定容量記録手段１０５へ通知する。指定容量記録手段１０５は、移動コピー制御手段１０１へコンテンツの移動／コピーの指示を出す。移動コピー制御手段１０１は、第１の記録再生部２０から、第２の記録再生部３５の記録媒体１へコンテンツ２の移動／コピーを実行する。
【００４５】
次に、コンテンツ容量比較手段１０４は、コンテンツ３の記録容量１時間と、記録媒体１の記憶可能領域０．５時間（既にコンテンツ１＋コンテンツ２＝２時間分の記憶容量を使用している）とを比較し、比較結果を指定容量記録手段１０５に通知する。この場合、コンテンツ３の記録容量１時間が、記録媒体１の記録可能時間０．５時間を上回っているため、指定容量記録手段１０５により、コンテンツ３の移動／コピーは実行されない。
【００４６】
コンテンツ記録中断制御手段１０７は記録媒体の交換指示を表示部４８あるいは本記録再生装置に接続された外部表示装置に送出する。中断位置記憶手段１０６は、第１の記録再生部２０におけるコンテンツ２に関する管理情報、例えばコンテンツ２の最終データ記録位置あるいはコンテンツ３の最初のデータ記録位置（次の移動／コピー動作の開始位置）を記憶しておく。このようにして、次に移動／コピーを実行すべき対象が、コンテンツ３に設定される。
【００４７】
ユーザが交換指示に従って第２の記憶再生装置の記録媒体１を記録媒体２に取り替えることにより、記憶可能容量検出記憶手段１０３内の記媒体記憶可能領域が２．５時間となる。
【００４８】
コンテンツ容量比較手段１０４は、コンテンツ３の記憶容量１時間と、記録媒体２の記録可能時間２．５時間とを比較し、コンテンツ３の容量が記録媒体２の記録可能容量の２．５時間を下回っていることを指定容量記録手段１０５に通知する。指定容量記録手段１０５は、移動コピー制御手段１０１へコンテンツ３の移動／コピーを指示する。移動コピー制御手段１０１は中断位置記憶手段１０６に記憶されている情報を基に、コンテンツ３の移動／コピーを開始する。
【００４９】
以後この動作を繰り返し実行し、コンテンツ３及び４を同じ記録媒体２に移動／コピーする。同様にして、コンテンツ５及び６が記録媒体３に移動／コピーされる。
【００５０】
従来は、例えばコンテンツ１〜３のように、記録媒体の記録容量を越えた容量のコンテンツを指定して、映像データの移動／コピーを行うことはできなかった。しかし本発明によれば、そのような場合でも複数のコンテンツを連続的に移動／コピーすることができる。
【００５１】
本実施形態の場合、ＨＤＤ２０のような装置に記録されたコンテンツ１〜６のような比較的長時間の映像データを、ＤＶＤディスクドライブ３５のような装置に移動／コピーする指示をユーザから入力した場合、各コンテンツは途切れずに記録媒体に記録される。つまり１つのコンテンツが２つの記録媒体に跨って記録されることはない。
【００５２】
次に第２の実施形態を説明する。図５は本第２の実施形態に係る記録再生装置の機能ブロック図である。
【００５３】
移動コピー制御手段１０１は、第１の記録再生部２０と第２の記録再生部３５との間でコンテンツデータの移動／コピーを制御する。管理情報記憶手段１０２は、第１の記録再生部２０に記録されている各コンテンツの記録時刻と日付、デーサイズ、記録位置等の管理情報を記憶する。
【００５４】
記録可能容量検出記憶手段１０３は、第２の記録再生部３５の記録媒体に記録可能な容量を検出し記憶する。コンテンツ容量比較手段１０４は、第１の記録再生部２０から、第２の記録再生部３５へ複数のコンテンツを移動／コピーする際に、移動／コピーする複数コンテンツの総容量と記録可能容量検出記憶手段１０３により検出した第２の記録再生部３５の記録媒体に記録可能な容量を比較する。
【００５５】
最大容量算出手段２０１は、コンテンツ容量比較手段１０４により移動／コピーする複数コンテンツの総容量が第２の記録再生部３５の記録媒体に記録可能な容量より大きいという通知を受信すると、コンテンツの途中であっても、コンテンツを記録媒体の記録可能容量以下の容量で分離し、第２の記録再生部３５に移動／コピーする。このときの分離はコンテンツの分割可能な最小単位、例えばＶＯＢＵ単位で行われ、コンテンツは記録媒体の記録可能容量以内の最も大きな容量で分離される。
【００５６】
中断位置記憶手段１０６は、最大容量算出手段２０１により第１の記録再生装置の移動／コピーが中断されたコンテンツの管理情報と中断位置を記憶する。コンテンツ記録中断制御手段１０７は、第２の記録再生部３５の記録媒体を交換した場合に、前記中断位置記憶手段１０６により記憶された第１の記録再生部２０の中断位置から第２の記録再生部３５へコンテンツの移動／コピーを開始する。
【００５７】
以下、本実施形態の動作を具体的に説明する。この実施形態においても、第１の記録再生部２０の中に、１時間分の容量を持つ６個のコンテンツがあり、第２の記録装置内の２．５時間分の記憶容量を持つ記録媒体へ移動もしくはコピーを行う場合を例として説明する。
【００５８】
先ず、コンテンツ容量比較手段１０４は、管理情報記憶手段１０２からのコンテンツ１の記憶容量１時間と、記憶可能容量検出記憶手段１０３からの第２の記録装置内記録媒体１の記憶可能容量２．５時間とを比較し、結果を最大容量算出手段２０１へ通知する。
【００５９】
最大容量算出手段２０１は、移動コピー制御手段１０１へコンテンツの移動／コピーの指示を出す。移動コピー制御手段１０１は、第１の記録再生部２０から、第２の記録装置内の記録媒体１へコンテンツ１の移動／コピーを実行する。
【００６０】
コンテンツ１の移動／コピーの後、コンテンツ容量比較手段１０４は、コンテンツ２の記録容量１時間と、記録媒体１の残りの記録可能容量１．５時間（既にコンテンツ１が記録されているため）を検出し比較を行う。以後は、コンテンツ１の場合と同等の動作を行い、コンテンツ２の移動／コピーを終了する。
【００６１】
次にコンテンツ容量比較手段１０４は、コンテンツ３の記録容量１時間と、記録媒体１の記憶可能領域０．５時間とを比較し、比較結果を最大容量算出手段２０１に通知する。この場合、コンテンツ３の記録容量が、記録媒体１の記録可能時間０．５時間を上回っている。従って最大容量算出手段２０１は、記録媒体１に記憶可能な０．５時間の容量未満で、且つＶＯＢＵ単位で最大容量となる位置を算出し、その位置でコンテンツ３をコンテンツ３ａ及び３ｂに分離し、この場合はそれぞれを０．５時間のＶＯＢとして再構成させる作業を実行する。コンテンツの分離作業完了後、最大容量算出手段２０１は移動コピー制御手段１０１へコンテンツ３の移動／コピーの実行指示を行う。
【００６２】
分離されたコンテンツ３ａの移動／コピーが終了すると、コンテンツ記録中断制御手段１０７は、記録媒体の交換指示を表示部４８あるいは本記録再生装置に接続された外部表示装置に送出する。中断位置記憶手段１０７は、第１の記録再生部２０における分離されたコンテンツ３ａの最終ＶＯＢＵの記録位置、あるいは分離されたコンテンツ３ｂの最初のＶＯＢＵの記録位置（次の移動／コピー動作の開始位置）を記憶しておく。このようにして、次に実行される移動／コピーの対象が、分離されたコンテンツ３ｂに設定される。
【００６３】
ユーザが交換指示に従って第２の記録再生部３５の記録媒体１を、記録媒体２に取り替えることにより、記録可能容量検出記憶手段１０３内の媒体記録可能領域が２．５時間となる。
【００６４】
コンテンツ容量比較手段１０４は、分離されたコンテンツ３ｂの記憶容量０．５時間と、記録媒体の記録可能時間２．５時間とを比較し、分離されたコンテンツ３ｂの容量が記録媒体２の記録可能容量の２．５時間を下回っていることを最大容量算出手段２０１に通知する。
【００６５】
最大容量算出手段２０１は、移動コピー制御手段１０１へ分離されたコンテンツ３ｂの移動／コピーを指示する。移動コピー制御手段１０１は中断位置記憶手段１０６に記憶されている情報を基に、分離されたコンテンツ３ｂの移動／コピーを開始する。
【００６６】
以後この動作を繰り返し実行し、コンテンツ４及びコンテンツ５の移動／コピーを実行する。コンテンツ６は、記録媒体２の容量をオーバーしてしまうため、記録媒体３へ交換するまで移動／コピーは実行されない。
【００６７】
以上本実施形態によれば、ＨＤＤ２０のような装置に記録されたコンテンツ１〜６のような比較的長時間の映像データを、ＤＶＤディスクドライブ３５のような装置に移動／コピーする指示をユーザから入力した場合、各記録媒体には該記録媒体の記録容量をＶＯＢＵ単位で最大に使用してコンテンツが記録される。つまり記録すべきコンテンツの容量が記録媒体の容量を越えているとき、コンテンツは記録媒体の空き容量未満で、且つＶＯＢＵ単位で最大容量となる位置で分離されて記録される。更に分割された残りのコンテンツは、映像データが重複又は欠落することなく連続して、次の記録媒体に記録することができる。
【００６８】
次に第３の実施形態を説明する。図６は第３の実施形態に係る記録再生装置の機能ブロック図である。動作選択指示手段３０１はキー入力部４８あるいはリモコン等のユーザＩ／Ｆからの操作キー入力に応じて、コンテンツ分割手段２０１及び指定容量記憶手段１０５のどちらか一方の動作をアクティブにする。動作選択指示手段３０１以外の機能ブロックの動作は上記実施形態と同様である。
【００６９】
図７は動作選択指示手段３０１の動作を示すフローチャートである。
【００７０】
リモコン等のユーザＩ／Ｆから１つ又は複数のコンテンツの移動／コピーが指示されると、動作選択指示手段３０１はユーザから指定されたコンテンツの移動／コピー範囲をＲＡＭ３０ｃに記憶する。指定されたコンテンツ範囲の全容量が、第２の記録再生装置３５に装填されている記録媒体の空き容量より小さい場合（ＳＴ２でＹＥＳの場合）、動作選択指示手段３０１は移動／コピー制御手段に移動／コピー開始の指示を出す。これにより、コンテンツの移動／コピーが開始される。
【００７１】
指定されたコンテンツ範囲の全容量が、記録媒体の空き容量より大きい場合（ＳＴ２でＮＯの場合）、動作選択指示手段３０１はコンテンツの分割方法を問い合わせるための画面を表示するための指示を、本記録再生装置に接続された外部表示装置に送出する（ＳＴ３）。この表示画面に応じて、ユーザＩ／Ｆからコンテンツ分割方法に関するユーザ指示が入力される（ＳＴ４）。
【００７２】
分割方法がＶＯＢＵ単位であった場合（ＳＴ５でＹＥＳの場合）、動作選択指示手段３０１はコンテンツ分割手段２０１の動作をアクティブにして（ＳＴ６）、移動／コピー制御手段に移動／コピー開始の指示を出す。これにより、コンテンツの移動／コピーが開始される。
【００７３】
分割方法がコンテンツ単位であった場合（ＳＴ５でＮＯの場合）、動作選択指示手段３０１は指定容量記憶手段１０５の動作をアクティブにして（ＳＴ７）、移動／コピー制御手段に移動／コピー開始の指示を出す。これにより、コンテンツの移動／コピーが開始される。
【００７４】
【発明の効果】
以上説明したように本発明によれば、第１の記録部から第２の記録部の記録媒体に対する、該記録媒体の記録可能容量を越えたコンテンツの移動／コピーが指定された場合でも、該コンテンツを連続して複数の記録媒体に容易に記録できる。
【図面の簡単な説明】
【図１】本発明が適用される録画再生装置の構成を示すブロック図。
【図２】図１に示した録画再生装置に適用されるリアルタイムレコーディングＤＶＤ−ＶＲ規格のビデオ及びオーディオファイルのデイレクトリー構造を示す図。
【図３】図２のムービービデオファイル及びスチルピクチャービデオファイルＯのファイル構造を示す図。
【図４】本発明による記録再生装置の機能を説明するための機能ブロック図の１例を示す。
【図５】第２の実施形態に係る記録再生装置の機能ブロック図。
【図６】第３の実施形態に係る記録再生装置の機能ブロック図。
【図７】図６の動作選択指示手段３０１の動作を示すフローチャート。
【図１】
0003569272.tif 000002
【図２】
0003569272.tif 000003
【図３】
0003569272.tif 000004
【図４】
0003569272.tif 000005
【図５】
0003569272.tif 000006
【図６】
0003569272.tif 000007
【図７】
0003569272.tif 000008